(57)【特許請求の範囲】
【請求項１】
軸方向に向かい合った開端と閉端を有し、縦軸を提供し、塗布する液体を含有するもろいアンプルを受け入れる形状の細長い中空円筒体と、前記中空円筒体の直径に沿って向かい合って前記中空円筒体から突出し、前記中空円筒体の縦軸によって画定される面に配置され、互の方へ圧迫されるとき、前記アンプルを破砕するために前記中空円筒体を内方へたわませる一対の細長い把持部材と、前記中空円筒体に固定されて、前記中空円筒体の前記開端を閉じ、前記アンプルが破砕されるとき、前記塗布する液体が前記中空円筒体に流入し、そして多孔性要素を通って流れるように配置される構成の前記多孔性要素から成ることを特徴とする塗布する液体を含有するもろいアンプルを受け入れるのに適した液体アプリケータ。
【請求項２】
前記中空円筒体と前記把持部材は、一体に形成されている請求項1に記載の液体アプリケータ。
【請求項３】
前記中空円筒体が前記中空円筒体の前記開放端から突き出ているフランジをさらに備え、前記多孔性要素は、前記フランジに固定されている請求項1に記載の液体アプリケータ。
【請求項４】
前記中空円筒体と前記把持部材の間に挿入されて、前記アンプルを破砕する構造体を更に備え、前記構造体は、前記把持部材を互いの方へ圧迫するとき、前記アンプルに対して破砕力を内方へ加えるように前記中空円筒体をたわませる請求項1に記載の液体アプリケータ。
【請求項５】
前記アンプルを破砕する前記構造体は、前記中空円筒体および前記把持部材と一体に形成されている請求項4に記載の液体アプリケータ。
【請求項６】
前記アンプルを破砕する前記構造体は直径の両端に第１および第2のタペットを備え、前記タペットが前記中空円筒体と前記把持部材のそれぞれのものの間に配置されている請求項4に記載の液体アプリケータ。
【請求項７】
前記中空円筒体は、前記中空円筒体の前記開放端に対して適所に前記アンプルを維持する複数の内方へ突出している隆起を表面に有する内周部を更に備える請求項1に記載の液体アプリケータ。
【請求項８】
各前記把持部材は、取付け部分および操作部分を備え、前記操作部分は、空間的に前記中空円筒体から離れている請求項1に記載の液体アプリケータ。
【請求項９】
各前記操作部分は、前記中空円筒体の中心縦軸に事実上平行である請求項8に記載の液体アプリケータ。
【請求項１０】
各前記操作部分は、前記中空円筒体の前記中心縦軸によって画成された平面内に置かれている請求項9に記載の液体アプリケータ。
【請求項１１】
各前記操作部分は、アプリケータの操作を容易にするための模様付き表面を備える請求項10に記載の液体アプリケータ。
【請求項１２】
前記多孔性要素は、積層材によって積層され、前記積層材が前記中空円筒体の前記フランジに直接に固定されて、前記アンプルが破砕したときにそれの破片による穿刺を阻止する請求項3に記載の液体アプリケータ。
【請求項１３】
前記積層材は、織布または不織布である請求項12に記載の液体アプリケータ。
【請求項１４】
前記積層材は、ポリエステル織布またはポリエステル不織布である請求項13に記載の液体アプリケータ。
【請求項１５】
前記積層材および前記中空円筒体の前記フランジは、前記多孔性要素を前記中空円筒体に固定するために一緒に融解される請求項12に記載の液体アプリケータ。
【請求項１６】
軸方向に向かい合った開端と閉端を有し、縦軸を提供し、塗布する液体を含有するもろいアンプルを受け入れる形状の細長い中空円筒体を提供するステップと、前記中空円筒体の直径に沿って向かい合って前記中空円筒体から突出し、前記中空円筒体の縦軸によって画定される面に配置され、互の方へ圧迫されるとき、前記アンプルを破砕するために前記中空円筒体を内方へたわませる一対の細長い把持部材を前記中空円筒体に連結するステップと、前記中空円筒体の前記開端を閉じるために配置され、前記アンプルが砕かれたときに前記塗布する液体が前記中空円筒体に流入し、そして多孔性要素を通って流れるように配置される構成の前記多孔性要素を前記中空円筒体に固定するステップから成ることを特徴とする塗布する液体を含有するもろいアンプルを受け入れるように形作られた液体アプリケータの製造方法。
【請求項１７】
前記中空円筒体と前記把持部材の間に挿入されて、前記アンプルを破砕する構造体を更に備え、前記把持部材を互いの方へ圧迫するとき、前記構造体は前記フンプルに対して破砕力を内方へ加えるように前記中空円筒体をたわませる請求項16に記載の液体アプリケータの製造方法。
【発明の詳細な説明】
【０００１】
発明の背景
本発明は、一般的に言えば、液体アプリケータに関する。さらに詳しく言えば、本発明は、液体入りガラス・アンプルを受け入れる柔軟な細長い中空円筒体を有する携帯型液体アプリケータおよび液体を小分け排出するためにアンプルを砕く機構に関する。
【０００２】
薬剤または洗浄剤のような液体を塗布するアプリケータは、従来技術において公知である。従来のアプリケータは、一般に円筒体の構成をとり、円筒体の中に保持されるガラス・アンプル、円筒体に固定され、少なくとも片方の表面がアンプルにさらされているスポンジまたはチップおよびアンプルが砕かれると、その中に入っている液体を塗布のためにスポンジに沁み込ませるようにアンプルを砕く手段を備えている。この種のアプリケータにおいては、液入りアンプルは、使用者が円筒体の壁を握って直接それに圧迫力を加えることよって普通砕かれる。もちろん、アンプルを砕くのに必要な圧迫力は、多くの要因、例えばアンプルの形状、円筒体およびアンプルを形成する材料および力が加えられる場所に関係する。
【０００３】
この種のアプリケータには多くの問題がある。例えば、周知のアプリケータは、この種の装置を使い捨ての組立体として構成するには高価で複雑なものにする不必要に多数の可動部品を含むか、または、使用者がアンプルを壊して、液体を小分けするときに両手を使用することを必要とするいずれかである。
【０００４】
多くの場合に、消毒液または薬剤の液体ディスペンサの使用者が液体で処置されることになっている患者の身体の一部分を露出させるかまたは処置位置を決めるのに片手を用い、一方、他方の手でディスペンサを使う準備をして液体を塗布することが必要である。例えば、液体アプリケータが術前液体（例えばイソプロピル・アルコールまたはヨウ素ベースの溶液）を手術の直前に身体のある領域に塗るのに用いられることが多い。従って、アプリケータの実用を可能にするためには、使用者が片手だけでアプリケータを準備して使用できることが不可欠である。
【０００５】
もう一つの問題は、従来のアプリケータは、アンプルを砕くのに必要な圧迫力を加えながら、または液体をある表面に塗りながら、握って保持するのが困難なことが多いことである。更なる問題は、円筒体の壁が圧迫されてアンプルが砕けるとき、アンプルが砕かれたあと、アンプルが中空円筒体の開放側の方へ押されるのを防止するものが何もないことである。したがって、壊れたアンプルの破片またはかけらは、スポンジに入り込んだりそれから突き出たりする傾向を持っている。アプリケータが患者の皮膚に液体を塗るのに用いられる場合には、スポンジに刺さるか貫通して突き出るガラスの破片は明らかに有害であろう。
【０００６】
従って、携帯型液アプリケータ産業における従来のアプリケータと比較して構成するのに簡単で安価であり、スポンジまたはチップに食い込んでいるアンプルの破片によって使用者が傷つく危険を減らす液体アプリケータについての要求が残っている。更に、必要な圧迫圧力を加えて、表面に液体を塗るのに必要な安定性を与える改良型の握り構造を有する液体アプリケータに対する要求がある。
【０００７】
発明の開示
したがって、本発明の態様のうちの一つにおいて、本発明は中に入っているアンプルを砕くために圧迫することができ、液体をスポンジによって塗ることができるようにアンプルに入っている液体を出す円筒体を有する品質構成の改良携帯型液体アプリケータを提供する。
【０００８】
もう一つの態様において、本発明は使用者が内部チャンバを定める体壁から離れた場所で円筒体を絞ることができるアプリケータを提供する。
【０００９】
その態様のなおもう一つにおいて、本発明は上述した遠隔圧迫ができるようにしながらアプリケータの操作を向上させる一つ以上のアプリケータ握持部材を提供する。
【００１０】
もう一つ態様においては、本発明は片手操作ができるようにして所望の領域に液体を塗るのを補助するために使用者の別の手を自由にする使い捨ての液体アプリケータを提供する。
【００１１】
なお更なる態様においては、本発明は、構成および組立が簡単なので、従来のアプリケータより経済的に製造できる液体アプリケータを提供する。
【００１２】
本発明の好ましい実施例の以下の説明から明なこれらおよびその他の態様に従って、身体の表面に所望の液体をつける液体アプリケータは、細長い密閉アンプル、アンプルを受け入れるのに適している内部チャンバを画成する柔軟な細長い中空円筒体、および円筒体に封入された液体のためのアプリケータとして用いられるのに適応した多孔性要素を備えている。アンプルは、もろい材料で作られて、分配される多量の液体を含む。中空円筒体は、軸方向に向かい合った開端と閉端があり、中空円筒体から突き出て使用者の指によって作動されるのに適当な一対の直径に沿って向かい合った把持部材を備えている。把持部材は、それの末端が中空円筒体から離れている。中空円筒体はまた、それの開放端から突き出て多孔性要素を支えているフランジを備えている。多孔性要素は、フランジに封止されるので中空円筒体の開放端を閉じる。中空円筒体はまた、アンプルを砕く構造体を備えることができ、その構造体は中空円筒体と把持部材の間に配置される。中空円筒体は、それの内周部に配置され、中空円筒体のアンプルを支える作用をし、破砕時にアンプルを適所に固定するのを助ける複数の内方へ突き出ている隆起をさらに備えている。
【００１３】
使用時には、把持部材は互いの方へ圧迫されて、破砕構造体がアンプルに対して力を加える。その力によって、アンプルの破砕が生じ、液体が塗られることになっている表面に多孔性要素を置くと、液体が多孔性要素を通って前記表面に流れる。壊れたアンプルの断片は内方へ突き出ている隆起によって適所に保たれ、したがって液体が所望の表面に塗られるときガラスの破片が多孔性要素を突くか突き抜けることを防止する。
【００１４】
本発明は、更に塗布されるある量の液体を含んでいる砕けやすいアンプルを受け入れるのに適している液体アプリケータを提供し、そのアプリケータは、アンプルを受け入れる形に作られた柔軟な細長い中空円筒体、中空円筒体から直径の両端から突き出ている一対の細長い把持部材、および液体のためのアプリケータとして用いられるのに適応した多孔性要素を備えている。中空円筒体にはそれの開放端から突き出て多孔性要素を固定するフランジの他に軸方向に向かい合った開端と閉端がある。中空円筒体はまた、アンプルを砕く構造体を含むことができ、前記構造体は中空円筒体と把持部材の間に配置されている。中空円筒体は、それの内周部に配置され、それは中空円筒体内にアンプルを支え、破砕時にアンプルを適所に固定する複数の内方へ突き出ている隆起をさらに備えている。
【００１５】
使用時には、把持部材は互いの方へ圧迫されて、破砕構造体がアンプルに対して力を加える。その力によって、アンプルの破砕が生じ、液体が塗られることになっている表面に多孔性要素を置くと、液体が多孔性要素を通って前記表面に流れる。壊れたアンプルの断片は内方へ突き出ている隆起によって適所に保たれ、したがって液体が所望の表面に塗られるとき、ガラスの破片が多孔性要素を突くかまたは突き抜けることを防止する。
【００１６】
本発明は、更に液体を液体アプリケータで塗る方法を提供し、前記方法は
軸方向に向きあった開端と閉端を有し、多量の塗布用液体を含んでいる砕けやすいアンプルを受け入れる形に作られた柔軟な細長い中空円筒体を設けるステップと、中空円筒体から直径に沿って突出て使用者の指によって作動されるのに適当な一対の細長い把持部材を中空円筒体に結合するステップと、中空円筒体の開放端を閉じるように配置された多孔性要素を中空円筒体に固定するステップを含んでいる。前記方法はまた、中空円筒体と把持部材の間にアンプルを砕く構造体を配置するステップを含むことがある。把持部材を押し下げると、破砕構造体が中空円筒体を撓曲させてアンプルに対して破砕力を内方へ加える。したがって、液体が塗られることになっている表面に押しつけて多孔性要素を置くと、液体が中空円筒体中に入って多孔性要素を通り抜けて流れる。
【００１７】
本発明の液体アプリケータを提供することによって、多数の利点が実現される。例えば、アプリケータの操作が改良される。この種の使用条件が厳密で滑りやすい手術に備えて、アプリケータが洗浄薬品ディスペンサとして使用されるとき、その操作が極めて重要である。更に、中空円筒体の内周部に配置された内方へ突き出ている隆起がアンプルを中空円筒体の開放端の十分に下の適所に保つのを容易にするので、多孔性要素を貫通している破砕したアンプルの破片で使用者が傷つく危険は減らされる。
【００１８】
本発明の追加の態様は、それに付属の利点および新しい特徴と共に、ある程度はあとに続く説明に記載され、そして、ある程度は、以下の考察のときに当業者に明らかになるかまたは本発明の実施から知ることができる。本発明の目的および利点は、添付の請求の範囲において特に指摘された手段、道具および組合せによって実現されて達成される。
【００１９】
好ましい実施例の詳細な説明
一般的に同様な参照番号がさまざまな図の同様な要素を識別する図面を、そして、最初に特に図１を参照すると、本発明の諸態様を表している液体アプリケータが例示されて、数字１０によって総括的に示されている。液体アプリケータ１０は、一般に円筒体１２、円筒体１２に受け入れられる液体入り閉アンプル１４、および円筒体１２に固定された多孔性要素１６を備えている。
【００２０】
アンプル１４は、さまざまな液体（例えば薬剤、洗浄薬品、化粧品、光沢剤等）を入れるために用いることができる。例示された実施例において、アンプル１４には手術の前に患者の皮膚に塗られる消毒液が入っている。アンプル１４は、中心縦軸を定める細長い円筒として例示されている。しかし、本発明の原理はまた球形または細長い多角形のアンプルにも適用できることはいうまでもない。好ましくは、他の材料が完全に本発明の範囲内にあるが、アンプル１４はガラスで作られるのがよい。ガラス・アンプル１４の壁は、運搬および保管の間、所望の液体を入れるのに十分な厚さのものであるが、それでも、局部圧力を加えたときにアンプルを砕くことができる。
【００２１】
図１、２および８に示すように、円筒体１２はほぼ中空の円筒形のものあって、軸方向に向かい合った第１および第２の端１８、２０を備えている。根元の第１の端１８は開いていて、末端の第２の端２０は閉じている。類似したたわみ性および完全性を呈している任意の材料を用いることができるが、好適な円筒体１２は、高密度ポリエチレンで形成される。好ましい実施例において、第２の端２０は成形プロセスの間閉じられてキャップ等の必要をなくしている。好適な円筒体１２は細長く、アンプル１４中心縦軸と共線である中心縦軸を定めている。好ましくは、壁の厚さは、０．１３ｃｍおよび０．３８ｃｍの間であるのがよい。より好ましくは、壁の厚さは、ほぼ０．２９２ｃｍである。
【００２２】
円筒体１２は、円筒体１２の中に内部チャンバ２２を画成する内壁２１を備えている。内壁２１は、内部チャンバ２２の中に受け入れられるアンプル１４の形とほぼ一致するように形作られる。内部の壁２１の円周は、アンプル本体の外面より僅かに大きく、中空の本体１２の内壁２１に配置された複数の内方へ突き出ている隆起４０がアンプル１４をその中に支えるようになっている。内壁２１は、本体１２の内壁２１の周りにほぼ９０度互いに片寄らされた４本の内方へ突き出ている隆起４０を備えているのが好ましい。隆起４０は、内部チャンバ２２の中にアンプル１４を維持するためにアンプルの周辺に係合し、以下により完全に記載するように、アンプルの破砕が行われると、多孔性要素１６を通してのアンプルの破片の不適切な動きを防止する。
【００２３】
円筒体１２は、更にそれの周辺部に沿って開放端１８から突き出ているフランジ２４を備えている。好ましい実施例において、フランジ２４は円筒体１２に連続して成形されて、円筒体の中心縦軸に関してある角度、α、例えば４５°、をなして配置されている。フランジ２４は、より完全に後述するように、多孔性要素１６を支えるのに適している。
【００２４】
図４を参照すると、円筒体１２はまた、直径に沿って向かい合って円筒体から突出する一対の細長い把持部材２６、２８を備えている。各把持部材２６、２８は、円筒体１２から外側に伸びている取付部分３０および取付部分３０の末端から伸びている操作部分３２を備えている。好ましくは、各把持部材２６，２８の取付部分３０が３６．５°と３７．５°の間の角度、β、をなして円筒体１２から外向き伸びている。より好ましくは、取付部分３０は約３６．８°をなして円筒体１２から伸びていることである。
【００２５】
操作部分３２は、円筒体１２から離れていて、円筒体１２およびアンプル１４の両方の中心縦軸とほぼ平行に配置されている。図１〜４に図示したように、各々の操作部分３２は、円筒体１２の事実上中心縦軸「ｘ」によって画成される平面に置かれている。好ましくは、操作部分３２は、円筒体１２から０．７６〜０．８９ｃｍ離れているのがよい。より好ましくは、操作部分３２は、円筒体１２からの約０．８３ｃｍ離して置かれるのがよい。各把持部材２６、２８の操作部分３２は、アプリケータ１０の操作を容易にして、塗布の間、使用者の手からすべること抑止するための表面模様付き外表面３４を備えている。
【００２６】
好ましい実施例においては、把持部材２６、２８は円筒体１２と連続して成形されている。しかし、別々に形成された把持部材が本発明の範囲内であることを意図していることが分かるであろう。
【００２７】
図４に示すように、円筒体１２はまたアンプル１４を破砕する構造体を備えている。該構造体は把持部材２６、２８と円筒体１２の間に挿入された破壊タブまたはタペット３６、３８を備えているのが好ましい。しかし、本発明の原理がアンプル１４を破砕するさまざまな他の構造体，例えば多重破壊タブおよび一つ以上の保持タブ、に等しく適用できることはいうまでもない。把持部材２６、２８の模様付き外部表面３４は、タブ３６、３８の面積よりかなり大きい把持面積を与える。把持部材２６（２８）を押し下げたときに、破壊タブ３６、３８は、内方へ円筒体１２をたわませ、それによって、より完全に後述するように、部材２６、２８を互いの方に向かって圧迫することによって生じる力を局所化し、アンプル１４の破砕を強める。
【００２８】
好ましい実施例において、本発明の液体アプリケータ１０は、３ｍｌのアンプルを収納するように構成されている。しかし、さまざまなサイズのアンプルを利用でき、そのようなものは本発明の範囲内であるように考えられていることが分かるであろう。３ｍｌの実施例において、フランジ２４の最も下方にあたる部分によって画成される側線と破砕構造体の間の距離は、約１２．５４ｃｍである。しかし、この距離はアプリケータの大きさおよび利用されるアンプルに基づいて変化することが分かるであろう。しかし、いずれのそのような変化も把持部材に対して同じ角配位を使用するように考えられている。この種の変動は、本発明の範囲内であると考えられる。
【００２９】
スポンジのような多孔性要素１６等は、円筒体１２の開放端１８を閉じる。多孔性要素１６は、フランジ２４に受け入れられて、内部チャンバ２２の中にアンプル１４を封じ込める。図７を参照すると、多孔性要素１６は、積層材料を片側に重ねられているフェルトまたは連続気泡材料で形成される。好ましい実施例において、積層材は、ポリエチレンのような織または不織ポリエステル材料である。多孔性要素１６のポリエチレン層は、連続気泡材料と円筒体１２のフランジ２４の間に配置される。そのようにして、ポリエチレン層は、アプリケータの使用の間、破砕されたアンプルからのガラスの破片が多孔性要素を押し抜かないように働く。添加材において、ポリエチレン・コーティングは、円筒体１２のフランジ２４と多孔性要素１６の間のインターフェースにおける材料となって、より完全に後述するように、アプリケータを形成する間にある程度融解される。
【００３０】
好適な多孔性要素１６は、分配される液体に対して所望の有孔率を有する１枚のスポンジ材から切リ取られ、それによって、アンプル１４が破砕されたとき、液体が要素１６を通ってすぐ流れないようになっている。換言すれば、一旦アンプル１４が破砕されると、表面が飽和した要素１６から液体を吸収するときにだけ、吐出された液体は要素１６を飽和させて、要素１６から流れ出る。従って、円筒体１２は本質的に所望の液体の貯蔵部としての働きをする。多孔性要素１６はフランジ２４に支えられることができる任意の所望の大きさおよび形のものであってもよいことはいうまでもないが、多孔性要素１６は形がほぼ円形であるのが好ましい。
【００３１】
アプリケータを形成する間に、アンプル１４は円筒体１２の内部チャンバ２２に挿入される。その後で、多孔性要素１６は、超音波溶接操作を用いて積層材料をフランジ２４に溶接することによってアプリケータの円筒体１２に固定される。積層品のポリエステル材料は、内部チャンバ２２をおおって適所に多孔性要素１６を固定して、アンプル１４を封じ込めるためにフランジ２４の材料と共に融ける適当な溶接材料となる。このようにフランジ２４に多孔性要素１６を固定することは、フランジ２４と要素１６の間のリークを防止するのを容易にする。他の適当な固定手段を超音波溶接操作の代わりに使用できるだろうことはいうまでもない。例えば、多孔性要素１６は、接着材若しくはステッチングによってまたは適所に要素をヒートシーリング若しくは化学的に結合することによって適所に固定することができるだろう。この種の代替固定手段は、本発明の範囲内であると考えられる。
【００３２】
多孔性要素１６は、円筒体１２の中心縦軸に関してある角度、α、例えば４５をなして配置されている。したがって、液体は、アンプル１４の壊れたときに重力によって円筒体１２の開放端１８に貼られた多孔性要素１６へ流れることができる。アプリケータがこすり洗いされる表面から離れる方向に向いている閉じた末端および表面の方へ向いた多孔性要素で洗浄するように操作されるとき、液体は、破砕されたアンプルから重力の作用で円筒体１２を下り開放端１８に至って多孔性要素１６を通って流れる。
【００３３】
本明細書に記載されているように、積層品を有する多孔性要素を用いることによって、多数の利点が実現される。例えば、その材料は破砕されたアンプルのガラス破片による穿刺を阻止する物理的バリヤーとなる。さらに、超音波溶接操作がアプリケータを製作するのに用いられるとき、積層材は円筒体上の適所に多孔性要素を固定するのに適当な溶接材料となる。更に円筒体および多孔性要素が一つに溶接され、本願明細書において記載されているように、把持部材および多孔性要素が配置されている比較的単純な構成にすることによって、単一用途用に設計でき、片手の操作を可能にするアプリケータが得られる。
【００３４】
使用時には、アプリケータ１０はある表面に塗るために、アプリケータに入っている所望の液体を吐き出すために圧迫される携帯型液体アプリケータとなる。アプリケータ１０は、把持部材２６、２８が使用者の片手の親指または掌と指の間に保持されるように使用者によって握られるよう設計されるので、片手操作が可能である。アンプル１４は、互いの方へ把持部材２６、２８を圧迫する使用者によって破砕される。把持部材２６、２８の動きは、円筒体１２にタブ３６、３８によって伝えられ、円筒体１２を内方へ変形させて、アンプル１４に対して離散的な局部的破砕力を加える。把持部材は、部材が互いの方へ圧迫されるとき、機械的効果を得る梃作用を与える。したがって、使用者の掴み強さが限られている場合、またはアンプルの壁が例外的に厚い場合、部材はアンプルを確実に破砕する。
【００３５】
図６に示すように、一旦部材２６、２８が一緒に十分に圧迫されると、結果として生じる力はアンプル１４を破砕し、中に入っている液体を放出する。一旦アンプル１４が破砕されると、図７に最もよく示されているように、液体は、アンプル１４から円筒体１２へ流れる。アプリケータ１０が、図１に示されるように、所望の表面に対してある向きに保持される場合、液体は根元端へと流れて、多孔性要素１６によって吸収される。その後で、液体の塗布が多孔性要素１６を所望の表面と接触させることによって達成される。使用者は、次に液体を表面に塗るのに塗装運動またはこすり洗い運動を用いてもよい。アンプル１４を破砕して、液体を所望の表面に塗布する全プロセスは、使用者の片手だけを用いて達成される。
【００３６】
上述のように構成されて操作されるので、本発明は円筒体の中に入っている液体のアンプルを破砕するために円筒体から離れた場所から圧迫することができる円筒体を有する品質構造の携帯型液体アプリケータを提供する。更に、本発明は所望の領域に液体の塗布を助けるために用いる使用者のもう一方の手を自由にするために片手操作ができるようにする使い捨ての液体アプリケータを提供する。本発明の液体アプリケータはまた、構成し、組立てるのが容易なので、従来の塗リアプリケータより経済的に製作することができる。
【００３７】
上記のことから、本発明が上述の全ての目的を、明らかであり、この構造体に固有のその他の利点と共に達成するのによく適しているものであることが分かるであろう。
【００３８】
若干の特徴および副組合せが有用であって、他の特徴および副組合せに関係なく用いられてもよいことが分かるであろう。これは、特許請求の範囲によって考慮されており、その範囲内にある。
【００３９】
多くの可能な実施例を、本発明の範囲から逸脱することなく、本発明から作ることができるので、本願明細書において記載されまたは添付の図面に示された全ての事柄は実例として解釈されるべきであって、制限的意味で解釈されるべきではないと理解されなければならない。
【図面の簡単な説明】
【図１】  本発明の好ましい実施例に従って構成された液体アプリケータの斜視図である。
【図２】  本発明の好ましい実施例に従って構成された平面図である。
【図３】  図２の線２ａ―２ａにほぼ沿ってとられた横断面図である。
【図４】  図２の線３によって囲まれた領域の拡大部分図である。
【図５】  図１の線４―４にほぼ沿ってとられた部分横断面図であり、液体が破線で示されている。
【図６】  ガラス・アンプルを破砕するために使用される構造体を破砕することに関する図５に示された体アプリケータの拡大部分横断面図で、液体が破線で示されている。
【図７】  アンプルが破砕され、液体が多孔性要素の方へ流れることができるようになったあとの多孔性要素および積層材を例示する図５の線６―６に沿った横断面図である
【図８】  多孔性要素を円筒体のフランジに配置することを例示している図１の液体アプリケータの分解底面透視図である。
【図１】
0004435478.tif 000002
【図２】
0004435478.tif 000003
【図３】
0004435478.tif 000004
【図４】
0004435478.tif 000005
【図５】
0004435478.tif 000006
【図６】
0004435478.tif 000007
【図７】
0004435478.tif 000008
【図８】
0004435478.tif 000009